(57)【要約】      （修正有）【課題】容器に飲料を入れた上で漏洩防止のための蓋をして該蓋の貫通穴にストローを挿入して提供される持ち帰りサービスに用いられ、安定した搬送を可能とする飲用容器の吊り下げバックを提供する。【解決手段】飲料容器の吊り下げバック１０は、長手方向にテーパを有する容器２０をその上部から環状内部に挿入することで容器２０の側周部に沿って与えられて容器２０を保持する環状帯部１１と、両端部を環状帯部１１の上端部における１の直径上の対向位置に接続された吊り下げ帯部１２と、を含み、環状帯部１１の上端部の異なる位置から伸びる２本の短冊帯部１３ａ、１３ｂの先端部近傍にはストロー孔１４があって、ストロー孔１４を重ねつつ短冊帯部１３ａ、１３ｂを互いに重ね合わせたときに、蓋部２１の貫通穴２２から伸びるストローをストロー孔１４に挿通させる。【選択図】図１
0003234487.tif 000002
【実用新案登録請求の範囲】
【請求項１】
容器に飲料を入れた上で漏洩防止のための蓋をして該蓋部の貫通穴にストローを挿入して提供される飲料の持ち帰りサービスのための吊り下げバックであって、
長手方向にテーパを有する前記容器をその上部から環状内部に挿入することで前記容器の側周部に沿って与えられて前記容器を保持する環状帯部と、
両端部を前記環状帯部の上端部における１の直径上の対向位置に接続された吊り下げ帯部と、を含み、
前記環状帯部の前記上端部の異なる位置から伸びる２本の短冊帯部の先端部近傍にはストロー孔があって、前記ストロー孔を重ねつつ前記短冊帯部を互いに重ね合わせたときに、前記蓋部の貫通穴から伸びる前記ストローを前記ストロー孔に挿通させ得ることを特徴とする飲用容器の吊り下げバック。
【請求項２】
前記短冊帯部は吊り下げ帯部に側部を沿わせて与えられることを特徴とする請求項１記載の飲用容器の吊り下げバック。
【請求項３】
前記ストロー孔は前記短冊帯部の長手方向に沿って複数設けられることを特徴とする請求項１又は２に記載の飲用容器の吊り下げバック。
【請求項４】
２枚の樹脂シートを重ねて加工されていることを特徴とする請求項１乃至３のうちの１つに記載の飲用容器の吊り下げバック。
【請求項５】
前記環状帯部は前記樹脂シートを重ねて加工された状態で下底部を曲線状に加工されていることを特徴とする請求項４記載の飲用容器の吊り下げバック。
【考案の詳細な説明】
【技術分野】
【０００１】
本考案は、容器に飲料を入れた上で漏洩防止のための蓋をして該蓋の貫通穴にストローを挿入して提供される飲料の持ち帰りサービスのための吊り下げバックに関する。
【背景技術】
【０００２】
紙製又は汎用樹脂（プラスチック）製の容器（カップ）に液体飲料を入れて蓋をしてこれを吊り下げバックに収容させて提供される飲料の持ち帰りサービスが広く行われている。
【０００３】
例えば、特許文献１では、把持部を設けた円筒状の保持部にテーパ状の周面を有する容器を上から挿入し、保持部内部に容器の周面を密着させることで把持部を持って安定した容器の搬送を可能とする吊り下げバックが開示されている。また、容器の蓋にはストローを挿入可能な貫通孔を設けてあって、これにストローを挿入したまま吊り下げバックに容器を収容しておくこともできる。
【０００４】
また、特許文献２でも、コーヒー等の蓋付き容器に入れられた飲料（カップ飲料）を持ち帰る際に使用する吊り下げバック（手提げポリ袋）について、その内部の帯状溶着シール部によって容器の側面を保持させ、搬送時の容器の傾倒による飲料の漏出を抑制するようにした手提げポリ袋が開示されている。
【先行技術文献】
【特許文献】
【０００５】
【特許文献１】登録実用新案第３１８０１０２号公報
【特許文献２】特開２０１６−９８０３９号公報
【考案の概要】
【考案が解決しようとする課題】
【０００６】
容器に飲料を入れた上で漏洩防止のための蓋をして該蓋部の貫通穴にストローを挿入して提供される持ち帰りサービスにおいて、蓋部から突き出たストローが吊り下げバックの袋内部又は把持部に干渉すると、容器に不意な力が生じて傾倒し易くなり、安定した搬送ができなくなってしまう。
【０００７】
本考案は以上のような状況に鑑みてなされたものであって、その目的は、容器に飲料を入れた上で漏洩防止のための蓋をして該蓋の貫通穴にストローを挿入して提供される持ち帰りサービスに用いられ、安定した搬送を可能とする飲用容器の吊り下げバックを提供することにある。
【課題を解決するための手段】
【０００８】
本考案による吊り下げバックは、容器に飲料を入れた上で漏洩防止のための蓋をして該蓋の貫通穴にストローを挿入して提供される飲料の持ち帰りサービスのための吊り下げバックであって、長手方向にテーパを有する前記容器をその上部から環状内部に挿入することで前記容器の側周部に沿って与えられて前記容器を保持する環状帯部と、両端部を前記環状帯部の上端部における１の直径上の対向位置に接続された吊り下げ帯部と、を含み、前記環状帯部の前記上端部の異なる位置から伸びる２本の短冊帯部の先端部近傍にはストロー孔があって、前記ストロー孔を重ねつつ前記短冊帯部を互いに重ね合わせたときに、前記蓋部の貫通穴から伸びる前記ストローを前記ストロー孔に挿通させ得ることを特徴とする。
【０００９】
かかる特徴によれば、両端部を前記環状帯部の上端部に接続されて吊り下げ帯部に収容された容器が該接続位置で回転しやすくなるが、重ね合わせた短冊帯部とこのストロー孔に挿通されるストローによって回転を抑制でき、安定した搬送を可能とするのである。
【００１０】
上記した考案において、前記短冊帯部は吊り下げ帯部に側部を沿わせて与えられることを特徴としてもよい。かかる特徴によれば、重ね合わせた短冊帯部とこのストロー孔に挿通されるストローによって回転をより確実に抑制でき、安定した搬送を可能とするのである。
【００１１】
上記した考案において、前記ストロー孔は前記短冊帯部の長手方向に沿って複数設けられることを特徴としてもよい。かかる特徴によれば、重ね合わせた短冊帯部とこのストロー孔に挿通されるストローによって回転をより確実に抑制でき、安定した搬送を可能とするのである。
【００１２】
上記した考案において、２枚の樹脂シートを重ねて加工されていることを特徴としてもよい。かかる特徴によれば、製造を容易にできるのである。
【００１３】
上記した考案において、前記環状帯部は前記樹脂シートを重ねて加工された状態で下底部を曲線状に加工されていることを特徴としてもよい。かかる特徴によれば、容器を環状帯部の環状内部に挿入して確実に容器の側周部に沿って与えることができて、安定した搬送を可能とするのである。
【図面の簡単な説明】
【００１４】
【図１】本考案による飲用容器の吊り下げバックの使用状態を示す写真である。
【図２】吊り下げバックの製造状態を示す側面図である。
【図３】吊り下げバックの他の使用状態を示す写真である。
【考案を実施するための形態】
【００１５】
以下、本考案による飲料の持ち帰りサービスのための飲用容器の吊り下げバックについて、図１乃至図３を用いて具体的に説明する。
【００１６】
図１に示すように、吊り下げバック１０は、店舗から飲料を持ち帰る場合などに飲用容器である容器２０を収容して提供し持ち運び可能とするものである。飲用容器２０は、使用時に上下に向けられる長手方向にテーパを有して上方の径を下方の径よりも大とする円錐台形であり、上部を開口した容器である。容器２０は、内部に入れた飲料の漏洩防止のために開口を閉塞する蓋（蓋部）２１を備え、蓋２１の略中央に設けられた貫通穴２２にストロー３１を挿通させている。
【００１７】
吊り下げバック１０は、環状帯部１１を備える。環状帯部１１は、容器２０を上部からその内部（環状内部）に挿入することで容器２０の周側部２３に沿って与えられるよう配置される。このとき、環状帯部１１は、その上端部１１ａを容器２０の上端よりも下方に配置され、その下端部１１ｂを容器２０の下端の近傍に配置させるような形状を有している。このように、環状帯部１１は、下端部１１ｂの径とテーパを容器２０に合わせるように形成されていると、環状帯部１１の広範囲で容器２０の側周部を保持できて好ましい。さらに、複数種類の容器２０を保持できるような寸法とされていることも好ましい。
【００１８】
吊り下げバック１０は、さらに環状帯部１１の上端部１１ａの１の直径上の対向位置にその両端部を接続されて上方に延びる吊り下げ帯部１２を備える。吊り下げ帯部１２は、同図の上部で表示されていないが、対向位置の両者を互いに接続させてループを形成している。吊り下げ帯部１２は、人が腕を挿通させて吊り下げバック１０を保持したときに、ストロー３１を腕に接触させない程度の十分な長さを有することが好ましい。
【００１９】
上端部１１ａからは、さらに異なる位置から上方に向けて伸びる２本の短冊帯部１３ａ、１３ｂを備える。短冊帯部１３ａ、１３ｂは、その先端部近傍にストロー孔１４を備える。短冊帯部１３ａ及び１３ｂは、互いにストロー孔１４を合わせるようにして重ね合わされて、上記した蓋２１の貫通穴２２から伸びるストロー３１を重ね合わせたストロー孔１４に挿通させることができる。このように、短冊帯部１３ａ、１３ｂによってストロー３１の移動を抑制することができるから、容器２０の転倒しようとする方向の回転を抑制させ、安定した搬送を可能とする吊り下げバック１０とすることができる。
【００２０】
図２を併せて参照すると、短冊帯部１３ａ、１３ｂは、吊り下げ帯部１２にその側部を沿わせるように与えられる。同図では２枚の樹脂シートを重ね合わせて吊り下げバック１０を製造した状態を示しており、短冊帯部１３ａ、１３ｂは重ねられているため、単に短冊帯部１３として示す。ここでは、短冊帯部１３はその側部にミシン目１５を付与されて吊り下げ帯部１２に沿って設けられており、ミシン目１５を切断することで先端側を吊り下げ帯部１２から分離可能とされている。また、短冊帯部１３は、その長手方向に沿ってストロー孔１４を複数設けられており、これによって複数の容器２０のそれぞれのサイズに対応できるようにされている。
【００２１】
上記したように、吊り下げバック１０は、２枚の樹脂シートを重ねて加工されている。つまり、２枚の樹脂シートは、重ねられたまま外周、ストロー孔１４、ミシン目１５を切断加工されるとともに、吊り下げ帯部１２の上端と環状帯部１１の左右の側部（図の外周近傍に細線を表示した部分）を溶着される。これによって環状帯部１１を環状にさせ、吊り下げ帯部１２にループを形成させることができる。
【００２２】
また、環状帯部１１の下端部１１ｂは、下部ミシン目１６を介して延長部１７に接続されている。吊り下げバック１０は、延長部１７を下部ミシン目１６から切り離して使用されるが、使用前において、延長部１７に設けられた穴１８によって棒状のハンガーなどに吊るされて保管されるようにできる。下部ミシン目１６は、上に凸の曲線を形成しており、下端（下底）部１１ｂはこのような曲線状に加工される。そして下部ミシン目１６から切り離されて、環状帯部１１を環状に広げて容器２０を収容したときに、下端部１１ｂは側面視で直線となる平面上の円形を呈し、容器２０の周側部を均一の高さで保持し得る。
【００２３】
なお、図３に示すように、吊り下げバック１０は、ミシン目１５を切り離さずに簡易的に使用することも可能である。短冊帯部１３をミシン目１５で吊り下げ帯部１２から切り離せるようにしたことで、使用形態のバリエーションを増やし得る。
【００２４】
以上、本考案による実施例を説明したが、本考案は必ずしも上記の実施例に限定されるものではない。また、当業者であれば、本考案の主旨又は添付した実用新案登録請求の範囲を逸脱することなく、様々な代替実施例及び改変例を見出すことができるであろう。
【符号の説明】
【００２５】
１０  吊り下げバック
１１  環状帯部
１２  吊り下げ帯部
１３  短冊帯部
１４  ストロー孔
１５  ミシン目
１６  下部ミシン目
１７  延長部
１８  穴
２０  容器
【図１】
0003234487.tif 000003
【図２】
0003234487.tif 000004
【図３】
0003234487.tif 000005